(57)【要約】      （修正有）【課題】専門的な工具を使用することなく、腕時計のケースとバンドを迅速且つ強固に連結できる、腕時計におけるケースとバンドの連結構造を提供する。【解決手段】腕時計におけるケースとバンドとの連結構造であって、腕時計のケースの両側のそれぞれに縦方向に貫通した凹溝が形成されており、前記凹溝の一方の側辺に横方向に貫通した貫通孔が少なくとも一つ設けられ、前記バンドはケースとの連結側にフランジが設けられて、該フランジと凹溝が互いに当て嵌まり、前記フランジの貫通孔と対応した箇所に溝が設けられて、前記貫通孔と前記溝が相互対応し、その中にロッキング手段が設置される。該連結構造によれば、専用工具なしに、腕時計のケースとバンドとを快速でしっかり連結できる。【選択図】図１
0003111527.tif 000002
【実用新案登録請求の範囲】
【請求項１】
腕時計におけるケースと、バンドとの連結構造であって、前記ケースの両側のそれぞれに、縦方向に貫通した凹溝が形成されており、前記凹溝の一方の側辺に、横方向に貫通した貫通孔が、少なくとも一つ設けられ、前記バンドは、ケースとの連結側にフランジが設けられて、該フランジと凹溝が互いに当て嵌まり、前記フランジの貫通孔と対応した箇所に溝が設けられて、前記貫通孔と前記溝が互いに対応し、その中にロッキング手段が設置されることを特徴とする、腕時計におけるケースとバンドとの連結構造。
【請求項２】
前記凹溝の横切断面は半円形状に形成し、凹入部の両エッジ間の距離は、円の直径よりも小さく、前記バンドのフランジと前記凹溝の形状が、互いに整合することを特徴とする、請求項１に記載の腕時計におけるケースとバンドとの連結構造。
【請求項３】
前記凹溝の横切断面は、楔形に形成し、前記バンドのフランジと前記凹溝の形状が、互いに整合することを特徴とする、請求項１に記載の腕時計におけるケースとバンドとの連結構造。
【請求項４】
前記凹溝の横切断面は、Ｔ形に形成し、前記バンドのフランジと前記凹溝形状が、互いに整合することを特徴とする、請求項１に記載の腕時計におけるケースとバンドとの連結構造。
【請求項５】
前記貫通孔は、円柱形又は角柱形に形成し、前記フランジに設けられた溝と前記貫通孔の形状とが対応していることを特徴とする、請求項１に記載の腕時計におけるケースとバンドとの連結構造。
【請求項６】
前記ロッキング手段は、貫通孔内に設けられた弾性釘と、溝内に固定されている弾性体からなることを特徴とする、請求項１に記載の腕時計におけるケースとバンドとの連結構造。
【考案の詳細な説明】
【技術分野】
【０００１】
本件実用新案登録出願は、腕時計の連結構造に関し、特に腕時計におけるケースとバンドとの連結構造に関するものである。
【背景技術】
【０００２】
腕時計は人々の生活の中で非常に普及している。腕時計は、時間を計る器機だけに限らず宝飾品でもある。そのため、自由にバンドを取り替えられることが望まれている。
【０００３】
しかしながら、普通の腕時計では、ケースとバンドの連結は連結ピンにより行われている。
【０００４】
普通の腕時計は、ケースの両側に二対のアームが設けられ、一対のアームごとに対向する円柱形の凹溝、又は、円柱形の孔が形成される。凹溝又は孔の中には、バンドの一端に設けられた鋼針が収納される。また、前記鋼針の代わりにスプリングピンが使用されることもある。
該スプリングピンは、圧縮スプリングが内蔵され、２本の円柱形のアーバーが分体装着されたパイプ状の円柱体を有し、このアーバーは、腕時計のケースの両側に設けられたアームの凹溝又は孔の中に挿入され、これにより、ケースとバンドが連結される。
【０００５】
しかし、このように連結されたものを分解するには必ず専用工具を使用せざるを得ないため、使用者にとって非常に不便である。
【０００６】
そのため、バンドを変えるたびに時計修理屋に行くのを煩わしく思い、手持ちの工具を使ってバンドを変えたりもするが、工具の不適当などにより、連結構造を壊すこともある。また、ケースとバンドをしっかりと連結できなく、ケースとバンドが外れてしまう可能性もある。
【０００７】
このようなピンを取り付ける際には、まずアーバーをパイプ状の円柱体内に押込んで、ピンをアームの間に位置させ、アーバーがアームの凹溝又は孔に位置合わせた際に、自動的に凹溝又は孔の中に挿入される。
【０００８】
しかし、このような伝統的な連結構造は、軸方向においてロックされないため、すでに人々の要求に満足できなくなった。
【考案の開示】
【考案が解決しようとする課題】
【０００９】
本件実用新案登録出願の目的は、専門的な工具を使用することなく、腕時計のケースとバンドを迅速且つ強固に連結できる、腕時計におけるケースとバンドの連結構造を提供することにある。
【課題を解決するための手段】
【００１０】
請求項１に記載の考案は、腕時計におけるケースと、バンドとの連結構造であって、前記ケースの両側のそれぞれに、縦方向に貫通した凹溝が形成されており、前記凹溝の一方の側辺に、横方向に貫通した貫通孔が、少なくとも一つ設けられ、前記バンドは、ケースとの連結側にフランジが設けられて、該フランジと凹溝が互いに当て嵌まり、前記フランジの貫通孔と対応した箇所に溝が設けられて、前記貫通孔と前記溝が互いに対応し、その中にロッキング手段が設置されることを特徴とする、腕時計におけるケースとバンドとの連結構造である。
【００１１】
請求項２に記載の考案は、前記凹溝の横切断面は半円形状に形成し、凹入部の両エッジ間の距離は、円の直径よりも小さく、前記バンドのフランジと前記凹溝の形状が、互いに整合することを特徴とする、請求項１に記載の腕時計におけるケースとバンドとの連結構造である。
【００１２】
請求項３に記載の考案は、前記凹溝の横切断面は、楔形に形成し、前記バンドのフランジと前記凹溝の形状が、互いに整合することを特徴とする、請求項１に記載の腕時計におけるケースとバンドとの連結構造である。
【００１３】
請求項４に記載の考案、前記凹溝の横切断面は、Ｔ形に形成し、前記バンドのフランジと前記凹溝形状が、互いに整合することを特徴とする、請求項１に記載の腕時計におけるケースとバンドとの連結構造である。
【００１４】
請求項５に記載の考案は、前記貫通孔は、円柱形又は角柱形に形成し、前記フランジに設けられた溝と前記貫通孔の形状とが対応していることを特徴とする、請求項１に記載の腕時計におけるケースとバンドとの連結構造である。
【００１５】
請求項６に記載の考案は、前記ロッキング手段は、貫通孔内に設けられた弾性釘と、溝内に固定されている弾性体からなることを特徴とする、請求項１に記載の腕時計におけるケースとバンドとの連結構造である。
【考案の効果】
【００１６】
本願実用新案登録出願は、専門的な工具を使用することなく、腕時計のケースとバンドを迅速に連結又は分解できて、使用者に便利さを与えた面で効果が顕著である。
【考案を実施するための最良の形態】
【００１７】
本願実用新案登録出願の目的を達成するために、腕時計におけるケースとバンドを連結するための連結構造であって、前記ケースの両側のそれぞれに縦方向に貫通した凹溝が形成されており、前記凹溝の一方の側辺に横方向に貫通した貫通孔が少なくとも１つ設けられ、前記バンドのケースとの連結側にフランジが設けられて、該フランジと凹溝が互いに当て嵌まり、前記フランジの貫通孔と対応した箇所に溝が設けられて、前記貫通孔と前記溝を互いに対応させ、その中にロッキング手段が設けられている、腕時計におけるケースとバンドとの連結構造を提供する。
【００１８】
前記凹溝の横切断面を半円形状に形成し、凹溝の両エッジ間の距離を円の直径よりも小さく、前記バンドのフランジと前記凹溝の形状を互いに整合することにしても良い。
【００１９】
また、前記凹溝の横切断面を楔状にし、前記バンドのフランジと前記凹溝の形状を互いに整合することにしても良い。
【００２０】
また、前記凹溝の横切断面をT形状にし、前記バンドのフランジと前記凹溝の形状を互いに整合することにしても良い。
【００２１】
前記貫通孔は円柱形又は角柱形にし、前記フランジ上に形成された溝と前記貫通孔の形状が対応することにしても良い。
前記ロッキング手段は、貫通孔内に設けられた弾性釘と溝内に固定されている弾性体からなる。
【実施例】
【００２２】
本願実用新案登録出願は、腕時計のケースとバンドを連結する連結構造である。図1、図2、図3に示されたように、本願実用新案登録出願は、腕時計のケースとバンドを連結するための装置である。
【００２３】
前記腕時計のケースの両側それぞれに、縦方向に貫通した凹溝１１が設けられ、前記凹溝１１の一方の側辺に少なくとも一つの横方向に、貫通した孔１２が設けられ、前記バンドは、ケースとの連結側にフランジ２１が設けられて、該フランジ２１と凹溝１１が互いに当て嵌まり（整合し）、前記フランジ２１の貫通孔１２と対応した箇所に溝２２が設けられて、前記貫通孔１２と前記溝２２を互いに対応させ、その中にロッキング手段が設置されている。
【００２４】
前記ロッキング手段は、貫通孔１２内に設けられた、弾性釘１３と溝２２内に固定されている弾性体23からなり、腕時計のケースとバンドがこの連結構造により連結される。
【００２５】
本実施例において、前記凹溝11の横切断面は半円形に形成し、凹溝の両エッジ間の距離は円の直径よりも小さく、前記バンドのフランジと前記凹溝の形状が互いに整合する。
【００２６】
本願実用新案登録出願を実施する際に、前記バンドに形成されたフランジを、縦方向に沿って前記凹溝に挿入し、前記バンド上の弾性体２３と前記弾性釘１３が触接してロッキングされるまで下へスライドする。
【００２７】
該弾性体２３は弾性手段からなる。前記弾性体２３と弾性釘１３の構造は従来技術により実現できるので、ここでは省略する。
【００２８】
該ロッキング手段は、従来技術における他の部材で取り替えできる。使用者が、バンドを交換する際に、専用工具を使用せずに、ボールペンの先端のような普通の鋭いもので貫通孔１２に設けられた弾性釘１３を押さえつければ、弾性釘１３は弾性体２３が圧縮されるように推進する。この時、縦方向にバンドのフランジ２１を抜き出せば、バンドとケースとの分解が行われる。
【００２９】
ケースとバンドを連結する際は、直接縦方向に沿ってバンドのフランジ２１を凹溝１１に挿入し、下へとスライドして、弾性作用により弾性体２３と弾性釘１３を突きあてる。
【００３０】
これによって、ケースとバンドがロッキングされて、ケースとバンドの連結が完成する。
図4、図5に示されたように、本願実用新案登録出願における凹溝１１の横切断面を楔形又はT形にしても良い。前記バンドのフランジ２１と前記凹溝１１の形状は互いに整合する。その連結関係は前記構造と同じであるので省略する。
【００３１】
本件実用新案登録出願における凹溝１１に形成された貫通孔１２は、ケースの内側又は外側に位置することができ、且つ円柱形又は角柱形をなすことができるため、異なる形状の弾性釘１３、又は、その他の類似したロッキング手段を用いることが可能である。また、フランジ２１に設けられた前記溝２２は、前記貫通孔１２の形状と対応し、その中の弾性体２３の形状もそれと対応する。
【００３２】
本願実用新案登録出願における前記構造によれば、専用工具を必要なしに腕時計のケースとバンドを簡単に分解又は連結できる。
【図面の簡単な説明】
【００３３】
【図１】本件実用新案登録出願の構造を示す概略図及びその一部の断面図である。
【図２】本件実用新案登録出願の分解状態を示す概略図である。
【図３】本件実用新案登録出願の連結状態を示す概略図及びその一部の断面図である。
【図４】本件実用新案登録出願の他の構造を示す概略図である。
【図５】本件実用新案登録出願の他の構造を示す概略図である。
【符号の説明】
【００３４】
１１  凹溝
１２  貫通孔
１３  弾性釘
２１  フランジ
２２  溝
２３  弾性体
【図１】
0003111527.tif 000003
【図２】
0003111527.tif 000004
【図３】
0003111527.tif 000005
【図４】
0003111527.tif 000006
【図５】
0003111527.tif 000007